(57)【要約】【課題】ロフト部に玄関とキッチン、風呂、脱衣所、トイレ等の水周りを構築し、快適な居住空間を可能とするロフト付き建築構造を提供する。【解決手段】天井部２、床面部３および側壁部４，５を形成して区画された居住室１の空間部の中に、少なくともキッチン１８、浴室１４、洗面あるいはトイレ１５のいずれかが設けられたロフト部７と、床面部３上に形成される居住領域８と、ロフト部７から居住領域８の床面部３に通じる階段１１と、ロフト部７に設けられた外部に通じる出入口９とを備える。【選択図】図１
2011144519.tif 000002
【特許請求の範囲】
【請求項１】
天井部、床面部および側壁部を形成して区画された居住室空間部の中に、
少なくともキッチン、浴室、洗面所あるいはトイレのいずれかが設けられたロフト部と、
前記床面部上に形成される居住領域と、
前記ロフト部から前記居住領域の床面部に通じる階段と、
前記ロフト部に設けられた外部に通じる出入口とを備える
ロフト付き建築構造。
【請求項２】
前記ロフト部の下方に位置する前記居住領域が寝室とされた
請求項１に記載のロフト付き建築構造。
【請求項３】
前記ロフト部に、キッチン、浴室、洗面所及びトイレが設けられた
請求項１または請求項２に記載のロフト付き建築構造。
【請求項４】
前記ロフト部は、前記出入口から前記階段までの第１の領域と、少なくともキッチンを有する第２の領域とに分離されている
請求項１、請求項２または請求項３に記載のロフト付き建築構造。
【請求項５】
前記居住領域に臨む前記ロフト部の開放端に沿って、通気性を有する転落防止部材が設けられた
請求項１、請求項２、請求項３または請求項４に記載のロフト付き建築構造。
【請求項６】
前記ロフト部は、浴室、洗面所及びトイレがそれぞれ分離されている
請求項１、請求項２、請求項３、請求項４または請求項５に記載のロフト付き建築構造。
【請求項７】
前記居住室空間部が複数階に区画構築された
請求項１または請求項２に記載のロフト付き建築構造。
【発明の詳細な説明】
【技術分野】
【０００１】
本発明は、ロフト付き建築構造に関する。詳しくはキッチン、浴室、トイレ等の水周りと居住空間とが分離した構造のロフト付き建築構造に係るものである。
【背景技術】
【０００２】
近年、アパートやマンション等の集合住宅としてロフト付き構造の住宅が提案されており、例えば特許文献１に記載されている。具体的には、２階以上の多階層構造の建築物内において区画構築される一居住室型住居の居住室の天井付近に居住室に面する開口部を有し、居住室から適宜昇降手段を用いて出入り可能なロフト空間を有する構造が提案されている。そして、こうしたロフト空間が当該住居の自己郭内の範囲において居住室から奥まって設けられることによって居住室の居住性に影響を与えずに利用可能な空間を一居住室型住居に効果的に増加させている。
【先行技術文献】
【特許文献】
【０００３】
【特許文献１】特開２００１−２８８９０６号公報
【発明の概要】
【発明が解決しようとする課題】
【０００４】
しかしながら従来のロフト付き構造の住宅では、キッチン、風呂、トイレ等の水周りの上にロフト空間部があるために、２階以上の集合住宅の場合にロフト上の天井が階上の住宅のキッチン、風呂、トイレ等の水周りの床となる。そして、一般に音は階上から階下に向けて伝わり易いために、ロフトを寝室とした場合には階上の住人の水回りの使用時の音が安眠を阻害する要因となり得る。
【０００５】
また、居住用としての区画領域内に玄関、キッチン、風呂、脱衣所、トイレ等の居住に不可欠な構成部分と居住室の双方が構築されるために、区画領域内での居住室の間取りが制約されてしまう。
【０００６】
本発明は以上の点に鑑みて創案されたものであって、ロフト部に玄関とキッチン、風呂、脱衣所、トイレ等の水周りを構築することにより快適な居住空間を可能とするロフト付き建築構造を提供することを目的とするものである。
【課題を解決するための手段】
【０００７】
上記の目的を達成するために、本発明に係るロフト付き建築構造は、天井部、床面部および側壁部を形成して区画された居住室空間部の中に、少なくともキッチン、浴室、洗面所あるいはトイレのいずれかが設けられたロフト部と、前記床面部上に形成される居住領域と、前記ロフト部から前記居住領域の床面部に通じる階段と、前記ロフト部に設けられた外部に通じる出入口とを備える。
【０００８】
ここで、居住室空間部の中に、少なくともキッチン、浴室、洗面あるいはトイレのいずれかが設けられたロフト部を設けることによって、階上の水回りの使用時の音が階下に伝わり難くい。
【０００９】
また、ロフト部の下方に位置する居住領域が寝室とされることによって、床部よりロフト部までの高さが通常の天井高さより低く、通常の生活空間としての活用が困難な場合であっても、空間の有効利用を図ることができる。
【００１０】
また、ロフト部に、キッチン、浴室、洗面所及びトイレが設けられた構成とすることによって、配管スペースが居住領域の床面部を通らないために排水の音が聞こえ難く、かつ料理等の臭いや湿気が居住領域に籠り難くなる。
【００１１】
また、ロフト部が、出入口から階段までの第１の領域と、キッチンを有する第２の領域とに分離されることによって、出入口からキッチンが見えることがないために、プライバシーを保護することができる。また、キッチンが見えない状態で出入口から居住領域に移動することが可能となる。
【００１２】
また、居住領域に臨むロフト部の開放端に沿って、通気性を有する転落防止部材が設けられたことによって、ロフト部と居住領域との通気性が確保され、かつ採光を全体に行き渡らせることが可能となる。
【００１３】
また、浴室、洗面所及びトイレがそれぞれ分離されたことによって、プライバシーを保ちながら居住生活を行なうことが可能となる。
【発明の効果】
【００１４】
本発明のロフト付き建築構造によれば、ロフト部にキッチン、浴室、トイレ等の水周りを配置することにより、階上での水回りの使用音を気にすることがない快適な空間を実現することが可能となる。
【図面の簡単な説明】
【００１５】
【図１】本発明を適用したロフト付き建築構造の一例を説明するための正面断面模式図である。
【図２】本発明を適用したロフト付き建築構造の一例を説明するための平面断面模式図である。
【図３】本発明を適用したロフト付き建築構造の一例の内部構造を説明するための側面断面模式図である。
【図４】本発明を適用した２階建て集合住宅におけるロフト付き建築構造の一例を説明するための正面断面模式図である。
【発明を実施するための形態】
【００１６】
以下、本発明の実施の形態を図面を参酌しながら説明し、本発明の理解に供する。
＜実施例１＞
図１は本発明を適用したロフト付き建築構造の一例を説明するための正面断面模式図、図２は本発明を適用したロフト付き建築構造の一例を説明するための平面断面模式図、図３は本発明を適用したロフト付き建築構造の一例の内部構造を説明するための側面断面模式図である。
【００１７】
ここで示す居住室１は、天井部２、床面部３及び側壁部４、５によって居住空間が形成されている。
【００１８】
この居住室１の居住空間内において、床面部３と天井部２との間に所定広さを有するロフト床６が水平状に構築されることによって居住室１内にロフト部７が形成されている。
【００１９】
また、ロフト床６はその内部にキッチン、浴室、トイレ等の水周り用としての配管を施設するのに十分な配管スペース（図示せず。）が設けられている。
【００２０】
ここで、ロフト部７はそのロフト床６から天井部２までの高さが通常の生活に支障のない高さ、即ち大人が立って自由に行動できる高さとされている。また、床面部３上には居住室１の平面上の広さを有する居住領域８が形成されている。
また、ロフト部７下の居住領域８は寝室２２、あるいは洋服収納室等などとして使用可能である。
【００２１】
続いて、ロフト部７に通ずる側壁部４には玄関としての出入口９が設けられている。この出入口９は、通常の住宅では２階高さとなるために、室外階段２３によって出入口９高さの位置に共用通路１０が構築され、このことで出入口９への昇降を行なうことができる。なお、共用通路１０下部の空間部分は駐輪場等の置場として有効活用することが可能である。
【００２２】
また、出入口９からロフト部７奥部の居住領域８に臨む開放端には、居住領域８へ昇降自在とされる階段１１が床面部３に向けて設けられている。この階段１１の上下方向への一側端が居住室１内の側壁部５に沿って取付けられ、その他端側には手摺１２が取付けられている。
【００２３】
更に、ロフト部７には、出入口９からロフト部７奥部の階段１１に向けての通路として利用する第１の領域１７と、浴室１４、トイレ１５及び洗面所１６とキッチン１８が設置される第２の領域１９が形成されている。
【００２４】
また、ロフト部７の居住領域８に臨む開放端には一定間隔ごとに立設されるバー状の転落防止部材２０が取付けられている。この転落防止部材２０によってロフト部７と居住領域８との通気および採光が良好に行なえることとなる。
【００２５】
次に、居住領域８の側壁部５には大きめの窓部２１が設けられている。また、ロフト部７下の居住領域８は寝室として利用し、ロフトスペース以外の居住領域８の床面部３にはソファー等（図示せず。）を配置してリビングスペースとして利用できる構成となっている。
【００２６】
更に、居住領域８の床面部３と天井部２との間には柱部（図示せず。）を設けることも可能であり、これによりロフト部７を設けて居住室１の天井部２を高くしても居住室１の構造上の強度を保持することができることとなる。
【００２７】
以上の構成より成る本発明のロフト付き建築構造では、ロフト部７上にキッチン１８、浴室１４及びトイレ１５を設けることによって、ロフト部７下の居住領域８は居住室１の平面広さとなり有効活用することが可能となる。
【００２８】
また、ロフト部７にキッチン１８及び浴室１４が設けられることで排気、換気がロフト部７で行なわれ、料理時の臭いや入浴による湿気が居住領域８に流れ込むのを最小限に防ぐことが可能となる。
【００２９】
＜実施例２＞
図４は本発明を適用した２階建て集合住宅におけるロフト付き建築構造の一例を説明するための正面断面模式図である。
【００３０】
ここで示す２階建集合住宅の１階部分の居住室１Ａは、天井部２Ａ、床面部３Ａ及び側壁部によって居住空間が形成されており、２階部分の居住室１Ｂは、天井部２Ｂ、床面部３Ｂ及び側壁部によって居住空間が形成されている。
【００３１】
この１階部分の居住室１Ａの居住空間内において、床面部３Ａと天井部２Ａとの間に所定広さを有するロフト床６Ａが水平状に設けられることによってロフト部７Ａが形成されており、同様に２階部分の居住室１Ｂの居住空間には、床面部３Ｂと天井部２Ｂとの間に所定広さを有するロフト床６Ｂが水平状に設けられることによってロフト部７Ｂが形成されている。即ち、１階部分の居住室１Ａのロフト部７Ａ上の天井部２Ａが２階部分の居住室１Ｂの床面部３Ｂとなるような構成とされている。
【００３２】
そして１階部分の居住室１Ａのロフト部７Ａのロフト床６Ａから天井部２Ａまでの高さ及び、２階部分の居住室１Ｂのロフト部７Ｂのロフト床６Ｂから天井部２Ｂまでの高さが通常の生活に支障のない高さ、即ち大人が立って自由に行動できる高さを有すると共に、１階部分の床面部３Ａ上には居住領域８Ａが２階部分の床面部３Ｂ上には居住領域８Ｂが形成されている。
【００３３】
更に、１階部分の居住室１Ａのロフト床６Ａ及び２階部分の居住室１Ｂのロフト床６Ｂは、その内部にキッチン、浴室、トイレ等の水周り用としての配管を施設するのに十分な配管スペース（図示せず。）が設けられている。
【００３４】
また、１階部分のロフト部７Ａ下の居住領域８Ａ及び２階部分のロフト部７Ｂ下の居住領域８Ｂは寝室２２Ａ、２２Ｂあるいは洋服収納室等などとして使用可能である。
【００３５】
続いて、１階のロフト部７Ａに通ずる側壁部及び２階のロフト部７Ｂに通ずる側壁部には玄関としての出入口９Ａ、９Ｂが設けられている。この出入口９Ａ、９Ｂには、室外階段２３Ａ、２３Ｂによって出入口９Ａ、９Ｂ高さの位置に共用通路１０Ａ、１０Ｂが構築され、このことで出入口９Ａ、９Ｂへの昇降を行なうことができる。なお、１階の共用通路１０Ａ下部の空間部分は駐輪場等の置場として有効活用することが可能である。
【００３６】
次に、１階部分及び２階部分の居住室１Ａ、１Ｂの内部構造を詳述するものであるが、これは実施例１の図２及び図３と同様な構造であり、実施例２において実施例１における図２及び図３を採用するものである。
【００３７】
ここで、１階部分の居住室１Ａの出入口９Ａからロフト部７Ａ奥部の居住領域８Ａに臨む開放端には、居住領域８Ａへ昇降自在とされる階段１１Ａが床面部３Ａに向けて設けられると共にこの階段１１Ａの上下方向の一側端には手摺１２Ａが取付けられ、２階部分の居住室１Ｂの出入口９Ｂからロフト部７Ｂ奥部の居住領域８Ｂに臨む開放端には、居住領域８Ｂへ昇降自在とされる階段１１Ｂが床面部３Ｂに向けて設けられる共にこの階段１１Ｂの上下方向の一側端には手摺１２Ｂが取付けられている。
【００３８】
更に、１階部分のロフト部７Ａには、出入口９Ａからロフト部７Ａ奥部の階段１１Ａに向けての通路として利用する第１の領域１７Ａと、浴室１４Ａ、トイレ１５Ａ及び洗面所１６Ａとキッチン１８Ａが設置される第２の領域１９Ａが形成されている。同様に、２階部分のロフト部７Ｂには、出入口９Ｂからロフト部７Ｂ奥部の階段１１Ｂに向けての通路として利用する第１の領域１７Ｂと、浴室１４Ｂ、トイレ１５Ｂ及び洗面所１６Ｂとキッチン１８Ｂが設置される第２の領域１９Ｂが形成されている。
【００３９】
また、１階部分のロフト部７Ａの居住領域８Ａに臨む開放端には一定間隔ごとに立設されるバー状の転落防止部材２０Ａが取付けられ、２階部分のロフト部７Ｂの居住領域８Ｂに臨む開放端には一定間隔ごとに立設されるバー状の転落防止部材２０Ｂが取付けられている。
【００４０】
更に、１階部分の居住領域８Ａの側壁部には大きめの窓部２１Ａが設けられ、２階部分の居住領域８Ｂの側壁部にも大きめの窓部２１Ｂが設けられている。また、１階部分及び２階部分のロフト部７Ａ、７Ｂ下の居住領域８Ａ、８Ｂは寝室として利用し、ロフトスペース以外の居住領域８Ａ、８Ｂの床面部３Ａ、３Ｂにはソファー等（図示せず。）を配置してリビングスペースとして利用できる構成となっている。
【００４１】
また、１階部分及び２階部分の居住領域８Ａ、８Ｂの床面部３Ａ、３Ｂと天井部２Ａ、２Ｂとの間には柱部（図示せず。）を設けることもでき、これにより居住室の構造上の強度を増す構造とこととなる。
【００４２】
以上の構成より成る本発明の２階建て集合住宅におけるロフト付き建築構造では、各階のロフト部７Ａ、７Ｂ上部に上階の水周りがないために、上階よりの水周りの音が聞こえにくくなり、静寂な生活が可能となるとともに夜半にトイレや入浴などを行なっても階下の住民に騒音によって迷惑をかけることを防止できる。
【００４３】
また、ロフト部７Ａ、７Ｂ上にキッチン１８Ａ、１８Ｂ、浴室１４Ａ、１４Ｂ及びトイレ１５Ａ、１５Ｂを設けることによって、ロフト部７Ａ、７Ｂ下の居住領域８Ａ、８Ｂは居住室１Ａ、１Ｂの平面広さとなり有効活用することが可能となる。
【００４４】
また、ロフト部７Ａ、７Ｂにキッチン１８Ａ、１８Ｂおよび浴室１４Ａ、１４Ｂが設けられることで排気、換気がロフト部７Ａ７Ｂで行なわれ、料理時の臭いや入浴による湿気が居住領域８Ａ、８Ｂに流れ込むのを最小限に防ぐことが可能となる。
【符号の説明】
【００４５】
１、１Ａ、１Ｂ        居住室
２、２Ａ、２Ｂ        天井部
３、３Ａ，３Ｂ        床面部
４                  側壁部
５                  側壁部
６、６Ａ，６Ｂ        ロフト床
７、７Ａ，７Ｂ        ロフト部
８、８Ａ，８Ｂ        居住領域
９、９Ａ，９Ｂ        出入口
１０、１０Ａ，１０Ｂ      共用通路
１１、１１Ａ、１１Ｂ      階段
１２、１２Ａ、１２Ｂ      手摺
１４、１４Ａ、１４Ｂ      浴室
１５、１５Ａ、１５Ｂ      トイレ
１６、１６Ａ、１６Ｂ      洗面所
１７、１７Ａ、１７Ｂ      第１の領域
１８、１８Ａ、１８Ｂ      キッチン
１９、１９Ａ、１９Ｂ      第２の領域
２０、２０Ａ、２０Ｂ      転落防止部材
２１、２１Ａ、２１Ｂ      窓部
２２、２２Ａ、２２Ｂ      寝室
２３、２３Ａ、２３Ｂ      室外階段
【図１】
2011144519.tif 000003
【図２】
2011144519.tif 000004
【図３】
2011144519.tif 000005
【図４】
2011144519.tif 000006